(57)【要約】      （修正有）【課題】兜飾りで祝う男児の名前等の文字を立札以外の方法で兜飾りに設けることができる兜飾りを提供する。【解決手段】兜飾り１は、兜飾り本体１１の前面に鍬形飾り体１２が取り付けられ、その鍬形飾り体１２には各種の角（つの）形状の鍬形部１２ａと共にこの兜飾り１で祝う男児の名前等の文字を現した名札部１２ｂが設けられている。名札部１２ｂは、鉢形飾り部１２ａと同じ素材で形成されており、レーザ加工によって鉢形および文字の部分以外を欠落して鉢形飾り部１２ａと一体で形成されている。尚、鍬形飾り体１２の裏側には、差し込み部１２ｄが設けられている一方、兜飾り本体１１の前面には、鍬形飾り体１２の差し込み部１２ｄが差し込まれて鍬形飾り体１２を固定する鉢形飾り受け部１１ｄを設ける。【選択図】図１
0003229585.tif 000002
【実用新案登録請求の範囲】
【請求項１】
兜飾り本体の前面に鍬形飾り体を取り付けた兜飾りであって、その鍬形飾り体には鍬形部と共に当該兜飾りで祝う男児の名前等の文字を現した名札部が設けられていることを特徴とする兜飾り。
【請求項２】
請求項１記載の兜飾りにおいて、
鍬形飾り体の裏側には、差し込み部が設けられている一方、
兜飾り本体の前面には、鍬形飾り体の差し込み部が差し込まれて鍬形飾り体を固定する鉢形飾り受け部が設けられていることを特徴とする兜飾り。
【請求項３】
請求項１または請求項２記載の兜飾りにおいて、鍬形飾り体に設けられた名札部は、鉢形飾り部と同じ素材で形成されており、レーザ加工によって鉢形および文字の部分以外を欠落して鉢形飾り部と一体で形成されていることを特徴とする兜飾り。
【考案の詳細な説明】
【技術分野】
【０００１】
本考案は、兜飾り本体の前面に鍬形飾り体を取り付けた兜飾りに関する。
【背景技術】
【０００２】
従来より、５月の端午の節句には、男児の健やかな成長を祝って鯉のぼりや五月人形、兜飾りを飾るのが風習である（例えば、特許文献１，２参照。）。
【先行技術文献】
【特許文献】
【０００３】
【特許文献１】特開２００９−１８３３７７号公報
【特許文献２】特開平１１−５７２２７号公報
【考案の概要】
【考案が解決しようとする課題】
【０００４】
しかし、兜飾りと別に男児の名前を書いた立札を立てることも行われているが、その立札が倒れ易かったり、さらには兜飾りをケース内に設置する場合は、立札の設置スペースの分だけスペースが必要になるという問題があった。
【０００５】
そこで、本考案はこのような問題点に鑑みなされたもので、兜飾りで祝う男児の名前等の文字を立札以外の方法で兜飾りに設けることが出来る兜飾りを提供することを目的とする。
【課題を解決するための手段】
【０００６】
前記課題を解決するため、本考案に係る兜飾りは、兜飾り本体の前面に鍬形飾り体を取り付けた兜飾りであって、その鍬形飾り体には鍬形部と共に当該兜飾りで祝う男児の名前等の文字を現した名札部が設けられていることを特徴とする。
ここで、鍬形飾り体の裏側には、差し込み部が設けられている一方、兜飾り本体の前面には、鍬形飾り体の差し込み部が差し込まれて鍬形飾り体を固定する鉢形飾り受け部が設けられていると良い。
また、鍬形飾り体に設けられた名札部は、鉢形飾り部と同じ素材で形成されており、レーザ加工によって鉢形および文字の部分以外を欠落して鉢形飾り部と一体で形成されているとさらに良い。
【考案の効果】
【０００７】
本考案に係る兜飾りによれば、兜飾り本体の鍬形飾り体に当該兜飾りで祝う男児の名前等の文字を現した名札部を設けたため、名前等の文字が書かれた立札が不要となり、立札が倒れることが無くなる。
また、兜飾りをケース内に設置する場合は、立札の設置スペースが不要となるので、スペース効率の良い兜飾りを提供することが出来る。
また、飾りの鍬形に当該兜飾りで祝う男児の名前等の文字が設けられるため、名前等の文字と兜飾りとが一体化して、兜飾りがその男児の唯一無二の物となり、兜飾りを送られた子供夫婦側に喜ばれるだけでなく、祖母や祖父側でも喜ばれ、子供夫婦用と祖母や祖父用に購入する機会も増大すると予想される。
【図面の簡単な説明】
【０００８】
【図１】本考案に係る実施形態の兜飾りを飾り台の飾った状態を示す正面図である。
【図２】本考案に係る実施形態の兜飾りを構成する兜飾り本体の斜視図である。
【図３】本考案に係る実施形態の兜飾りを構成する兜飾り本体の正面図である。
【図４】本考案に係る実施形態の兜飾りを構成する兜飾り本体の平面図である。
【図５】本考案に係る実施形態の兜飾りを構成する鍬形飾り体の正面図である。
【図６】本考案に係る実施形態の兜飾りを構成する鍬形飾り体の側面図である。
【図７】本考案に係る実施形態の兜飾りを構成する鍬形飾り体の裏側の斜視図である。
【図８】本考案に係る実施形態の兜飾りを構成する鍬形飾り体の背面図である。
【図９】本考案に係る実施形態の兜飾りを構成する鍬形飾り体の他の例を示す正面図である。
【図１０】本考案に係る実施形態の兜飾りを構成する鍬形飾り体のさらに他の例を示す正面図である。
【図１１】本考案に係る実施形態の兜飾りを構成する鍬形飾り体のさらに他の例を示す正面図である。
【考案を実施するための形態】
【０００９】
次に、本考案に係る兜飾りの実施の形態について説明する。尚、下記に説明する実施形態の兜飾りは、あくまで本考案の一例であり、本考案が下記に示す実施形態の兜飾りに限定されるものではない。
【００１０】
本考案に係る兜飾り１は、図１に示すように、兜飾り本体１１の前面に鍬形飾り体１２が取り付けられた兜飾りであって、その鍬形飾り体１２には角（つの）形状の鍬形部１２ａと共にこの兜飾り１で祝う男児の名前等の文字を現した名札部１２ｂが設けられている。尚、図１において、符号１３は顎紐、１４は飾り台である。
【００１１】
（兜飾り本体１１）
兜飾り本体１１は、兜を何分かの一にミニチュア化した飾りであって、兜飾り本体１１の前面には、鍬形飾り体１２の差し込み部が差し込まれて鍬形飾り体１２を固定する鉢形飾り受け部１１ｄが設けられている。
【００１２】
鉢形飾り受け部１１ｄは、図３(ａ)，(ｂ)等に示すように、平面視、横長の長方形の筒状の物であって、金属板を折返して形成され、本実施形態では、兜飾り本体１１の装飾部分と同じ金属部材で、かつ、装飾部分と同様に金メッキまたは金色に着色して構成されている。尚、一枚の金属板を折返して形成しているため、鉢形飾り受け部１１ｄの後方には、縦方向のスリットが形成されている。
【００１３】
また、鉢形飾り受け部１１ｄは、図３(ａ)等に示すように、正面視、縦長でほぼ長方形の筒状の物であって、前面の上部には、飾りや鍬形飾り体１２の差し込み部を確実に留めることができるように４つの湾曲線でほぼＶ字形状に形成されている。
【００１４】
（鍬形飾り体１２）
鍬形飾り体１２は、図５に示すように、角（つの）形状の鍬形部１２ａと共にこの兜飾り１で祝う男児の名前等の文字を現した名札部１２ｂがアクリル板等の合成樹脂板等の同じ素材からレーザ加工によって鍬形部１２ａおよび名札部１２ｂ以外の部分を欠落して一体で形成されている。尚、図５の例では、名札部１２ｂは、“陽太郎”という男児の名前の名札部１２ｂが鍬形部１２ａと一体に形成されている。
【００１５】
ここで、鍬形部１２ａおよび名札部１２ｂの裏面側は、金色に塗装ないしはメッキ等されており、兜飾り本体１１の金飾りと一体化するように構成されている。
【００１６】
そして、鍬形飾り体１２の裏側には、図５や図６に示すように、アダプタ体１２ｃを介して兜飾り本体１１前面に設けた長方形でかつ筒形状の鉢形飾り受け部１１ｄに差し込んで鍬形飾り体１２を兜飾り本体１１に留め付ける差し込み部１２ｄが設けられている。
【００１７】
アダプタ体１２ｃは、図７や図８等に示すように円盤状で鍬形部１２ａおよび名札部１２ｂの厚さよりも肉厚の透明なアクリル樹脂等から構成されており、差し込み部１２ｄの基部が埋め込まれていると共に、その反対側の面が鍬形部１２ａや名札部１２ｂに接着剤や両面テープ等で接着されるように構成されている。アダプタ体１２ｃを透明なアクリル樹脂等から構成した理由は、鍬形部１２ａおよび名札部１２ｂは、兜飾り本体１１の金飾りと一体化するように例えば金色に着色されているので、兜飾り本体１１の金飾りと一体化する鍬形部１２ａおよび名札部１２ｂ等をアダプタ体１２ｃによって極力邪魔をしないようにするためである。
【００１８】
差し込み部１２ｄは、Ｖ字形状に折曲げた弾性（スプリング機能）を有する薄板金属から構成されており、兜飾り本体１１前面に設けた長方形でかつ筒形状の鉢形飾り受け部１１ｄに差し込むことにより、兜飾り本体１１に鍬形飾り体１２を装着することができる。
【００１９】
従って、本考案に係る兜飾り１によれば、兜飾り本体１１の前面に取り付ける鍬形飾り体１２には各種の角（つの）形状の鍬形部１２ａと共にこの兜飾り１で祝う男児の名前等の文字を現した名札部１２ｂが設けられているため、従来の兜飾りとは異なり名前等の文字が書かれた立札が不要となり、立札が倒れることが無くなる。
【００２０】
また、兜飾り１をケース内に設置する場合は、立札の設置スペースが不要となるので、スペース効率の良い兜飾りを提供することが出来る。
【００２１】
また、本考案に係る兜飾り１では、鍬形飾り体１２にこの兜飾り１で祝う男児の名前等の文字が名札部１２ｂとして一体で設けられるため、名前等の文字と兜飾り１とが一体化して、兜飾り１がその男児の唯一無二の物となり、兜飾り１を送られた子供夫婦側に喜ばれるだけでなく、祖母や祖父側でも喜ばれ、子供夫婦用と祖母や祖父用に購入する機会も増大すると予想される。
【００２２】
特に、本実施系では、図１や図５等に示すように鍬形飾り体１２を構成する鍬形部１２ａと名札部１２ｂをレーザ加工等によって同じ素材から鉢形および文字の部分以外を欠落して一体で形成したため、兜飾り１前面に装着される鍬形飾り体１２に男児の名前の名札部１２ｂが来ることになり、兜飾り１がその男児の唯一無二の物とすることがでできる。
【００２３】
尚、本考案では、鍬形飾り体１２を構成する名札部１２ｂは、男児の名前に限定されるものではなく、例えば、図９に示す鍬形飾り体１２のように“令和”等の元号を名札部１２ｂで表したり、さらには図１０に示す鍬形飾り体１２のように“東京”等の地名を名札部１２ｂで表すようにしても勿論良い。
【００２４】
また、上記実施形態の説明では、図１や図５等に示すように鍬形飾り体１２を構成する鍬形部１２ａと名札部１２ｂとをレーザ加工等によって同一素材から一体で構成して説明したが、本考案ではこれに限定されるものでなく、例えば、鍬形部１２ａと名札部１２ｂとを別々に別体で形成しておき、図１１に示すように鍬形部１２ａの前面に名札部１２ｂをピン１２ｅ等で留めたり、接着剤で接着するように構成しても勿論良い。
【符号の説明】
【００２５】
１  兜飾り
１１  兜飾り本体
１１ａ〜１１ｃ  金飾り
１１ｄ  鉢形飾り受け部
１２  鍬形飾り体
１２ａ  鍬形部
１２ｂ  名札部
１２ｃ  アダプタ体
１２ｄ  差し込み部
１３  顎紐
１４  飾り台
【図１】
0003229585.tif 000003
【図２】
0003229585.tif 000004
【図３】
0003229585.tif 000005
【図４】
0003229585.tif 000006
【図５】
0003229585.tif 000007
【図６】
0003229585.tif 000008
【図７】
0003229585.tif 000009
【図８】
0003229585.tif 000010
【図９】
0003229585.tif 000011
【図１０】
0003229585.tif 000012
【図１１】
0003229585.tif 000013
【手続補正書】
【提出日】令和2年9月16日(2020.9.16)
【手続補正１】
【補正対象書類名】実用新案登録請求の範囲
【補正対象項目名】全文
【補正方法】変更
【補正の内容】
【実用新案登録請求の範囲】
【請求項１】
兜飾り本体の前面に鍬形飾り体を取り付けた兜飾りであって、その鍬形飾り体には鍬形部と共に当該兜飾りで祝う男児の名前等の文字を現した名札部が設けられていることを特徴とする兜飾り。
【請求項２】
請求項１記載の兜飾りにおいて、
鍬形飾り体の裏側には、差し込み部が設けられている一方、
兜飾り本体の前面には、鍬形飾り体の差し込み部が差し込まれて鍬形飾り体を固定する鍬形飾り受け部が設けられていることを特徴とする兜飾り。
【請求項３】
請求項１または請求項２記載の兜飾りにおいて、鍬形飾り体に設けられた名札部は、鍬形部と同じ素材で形成されており、レーザ加工によって鍬形部および文字の部分以外を欠落して鍬形部と一体で形成されていることを特徴とする兜飾り。
【手続補正２】
【補正対象書類名】明細書
【補正対象項目名】０００６
【補正方法】変更
【補正の内容】
【０００６】
前記課題を解決するため、本考案に係る兜飾りは、兜飾り本体の前面に鍬形飾り体を取り付けた兜飾りであって、その鍬形飾り体には鍬形部と共に当該兜飾りで祝う男児の名前等の文字を現した名札部が設けられていることを特徴とする。
ここで、鍬形飾り体の裏側には、差し込み部が設けられている一方、兜飾り本体の前面には、鍬形飾り体の差し込み部が差し込まれて鍬形飾り体を固定する鍬形飾り受け部が設けられていると良い。
また、鍬形飾り体に設けられた名札部は、鍬形部と同じ素材で形成されており、レーザ加工によって鍬形部および文字の部分以外を欠落して鍬形部と一体で形成されているとさらに良い。
【手続補正３】
【補正対象書類名】明細書
【補正対象項目名】００１１
【補正方法】変更
【補正の内容】
【００１１】
（兜飾り本体１１）
兜飾り本体１１は、兜を何分かの一にミニチュア化した飾りであって、兜飾り本体１１の前面には、鍬形飾り体１２の差し込み部が差し込まれて鍬形飾り体１２を固定する鍬形飾り受け部１１ｄが設けられている。
【手続補正４】
【補正対象書類名】明細書
【補正対象項目名】００１２
【補正方法】変更
【補正の内容】
【００１２】
鍬形飾り受け部１１ｄは、図３(ａ)，(ｂ)等に示すように、平面視、横長の長方形の筒状の物であって、金属板を折返して形成され、本実施形態では、兜飾り本体１１の装飾部分と同じ金属部材で、かつ、装飾部分と同様に金メッキまたは金色に着色して構成されている。尚、一枚の金属板を折返して形成しているため、鍬形飾り受け部１１ｄの後方には、縦方向のスリットが形成されている。
【手続補正５】
【補正対象書類名】明細書
【補正対象項目名】００１３
【補正方法】変更
【補正の内容】
【００１３】
また、鍬形飾り受け部１１ｄは、図３(ａ)等に示すように、正面視、縦長でほぼ長方形の筒状の物であって、前面の上部には、飾りや鍬形飾り体１２の差し込み部を確実に留めることができるように４つの湾曲線でほぼＶ字形状に形成されている。
【手続補正６】
【補正対象書類名】明細書
【補正対象項目名】００１６
【補正方法】変更
【補正の内容】
【００１６】
そして、鍬形飾り体１２の裏側には、図５や図６に示すように、アダプタ体１２ｃを介して兜飾り本体１１前面に設けた長方形でかつ筒形状の鍬形飾り受け部１１ｄに差し込んで鍬形飾り体１２を兜飾り本体１１に留め付ける差し込み部１２ｄが設けられている。
【手続補正７】
【補正対象書類名】明細書
【補正対象項目名】００１８
【補正方法】変更
【補正の内容】
【００１８】
差し込み部１２ｄは、Ｖ字形状に折曲げた弾性（スプリング機能）を有する薄板金属から構成されており、兜飾り本体１１前面に設けた長方形でかつ筒形状の鍬形飾り受け部１１ｄに差し込むことにより、兜飾り本体１１に鍬形飾り体１２を装着することができる。
【手続補正８】
【補正対象書類名】明細書
【補正対象項目名】００２２
【補正方法】変更
【補正の内容】
【００２２】
特に、本実施系では、図１や図５等に示すように鍬形飾り体１２を構成する鍬形部１２ａと名札部１２ｂをレーザ加工等によって同じ素材から鍬形部１２ａおよび文字の部分以外を欠落して一体で形成したため、兜飾り１前面に装着される鍬形飾り体１２に男児の名前の名札部１２ｂが来ることになり、兜飾り１がその男児の唯一無二の物とすることができる。
【手続補正９】
【補正対象書類名】明細書
【補正対象項目名】００２５
【補正方法】変更
【補正の内容】
【００２５】
１  兜飾り
１１  兜飾り本体
１１ａ〜１１ｃ  金飾り
１１ｄ  鍬形飾り受け部
１２  鍬形飾り体
１２ａ  鍬形部
１２ｂ  名札部
１２ｃ  アダプタ体
１２ｄ  差し込み部
１３  顎紐
１４  飾り台